(57)【要約】【課題】  印刷出力する画像データの付帯情報を画像と重複しない位置に印刷可能とすること。【解決手段】  全面印刷及び両面印刷可能な画像出力装置において、画像と共に付帯情報の印刷を行う指示又は設定があった場合（Ｓ１−２）には、全面印刷か通常印刷かを判定し（Ｓ１−６）、全面印刷の場合には裏面に（Ｓ１−７）、通常印刷の場合には画像印刷領域外に（Ｓ１−８）付帯情報を印刷する。【選択図】  図１
2005199616.tif 000002
【特許請求の範囲】
【請求項１】
記録媒体の全面に記録する全面記録と、余白を残して記録する通常記録とが可能で、かつ前記記録媒体の両面に対する記録が可能な印刷手段を有し、印刷要求に基づいて画像を前記記録媒体に印刷する画像出力装置において、
前記印刷要求を検出する検出手段と、
印刷すべき画像データを取得する画像取得手段と、
前記画像データとともに印刷すべき情報を取得する情報取得手段と、
前記印刷要求が前記全面記録を要求している場合、前記画像データを前記記録媒体の一方の面に、前記画像データと共に印刷すべき情報を前記記録媒体の他方の面に印刷し、前記印刷要求が前記通常記録を要求している場合、前記画像データを前記記録媒体の一方の面に、前記画像データと共に印刷すべき情報を前記記録媒体の前記一方の面の前記余白に印刷するように前記印刷手段を制御する制御手段を有することを特徴とする画像出力装置。
【請求項２】
前記画像取得手段が、前記画像データを外部装置から取得する共に、前記情報取得手段が、前記画像データと共に印刷すべき情報を、前記外部装置から取得することを特徴とする請求項１記載の画像出力装置。
【請求項３】
前記画像データと共に印刷すべき情報が、前記画像データの印刷パラメータもしくは予め設定された情報であることを特徴とする請求項１又は請求項２に記載の画像出力装置。
【請求項４】
前記画像取得手段が、原稿画像を読み取り、前記画像データを生成する画像読み取り手段を有し、
前記情報取得手段が、前記画像読み取り手段が生成した画像データから、前記画像データと共に印刷すべき情報を取得することを特徴とする請求項１記載の画像出力装置。
【請求項５】
前記画像データと共に印刷すべき情報が、前記画像データに関する情報であることを特徴とする請求項１乃至請求項４のいずれか１項に記載の画像出力装置。
【請求項６】
記録媒体の全面に記録する全面記録と、余白を残して記録する通常記録とが可能で、かつ前記記録媒体の両面に対する記録が可能な印刷手段を有し、印刷要求に基づいて画像を前記記録媒体に印刷する画像出力装置の制御方法であって、
前記印刷要求を検出する検出ステップと、
印刷すべき画像データを取得する画像取得ステップと、
前記画像データとともに印刷すべき情報を取得する情報取得ステップと、
前記印刷要求が前記全面記録を要求している場合、前記画像データを前記記録媒体の一方の面に、前記画像データと共に印刷すべき情報を前記記録媒体の他方の面に印刷し、前記印刷要求が前記通常記録を要求している場合、前記画像データを前記記録媒体の一方の面に、前記画像データと共に印刷すべき情報を前記記録媒体の前記一方の面の前記余白に印刷するように前記印刷ステップを制御する制御ステップを有することを特徴とする画像出力装置の制御方法。
【請求項７】
前記画像取得ステップが、前記画像データを外部装置から取得する共に、前記情報取得ステップが、前記画像データと共に印刷すべき情報を、前記外部装置から取得することを特徴とする請求項６記載の画像出力装置の制御方法。
【請求項８】
前記画像データと共に印刷すべき情報が、前記画像データの印刷パラメータもしくは予め設定された情報であることを特徴とする請求項６又は請求項７に記載の画像出力装置の制御方法。
【請求項９】
前記画像取得ステップが、原稿画像を読み取り、前記画像データを生成する画像読み取りステップを有し、
前記情報取得ステップが、前記画像読み取りステップが生成した画像データから、前記画像データと共に印刷すべき情報を取得することを特徴とする請求項６記載の画像出力装置の制御方法。
【請求項１０】
前記画像データと共に印刷すべき情報が、前記画像データに関する情報であることを特徴とする請求項６乃至請求項９のいずれか１項に記載の画像出力装置の制御方法。
【請求項１１】
コンピュータに、請求項６乃至請求項１０のいずれか１項に記載の画像出力装置の制御方法を実行させるプログラム。
【請求項１２】
請求項１１記載のプログラムを格納したコンピュータ読み取り可能な記録媒体。
【発明の詳細な説明】
【技術分野】
【０００１】
本発明は、画像情報を記録媒体に印刷する画像出力装置及びその制御方法に関するものである。
【背景技術】
【０００２】
インクジェットカラープリンタを代表とする最近の画像出力装置は、高画質化が進んでおり、特に写真出力用の専用紙を使用することによって、銀塩フィルムを使用して撮影し、印画紙に焼き付けた写真と同等の印刷が可能なものも増えてきている。
【０００３】
また、そのような画像出力装置では、用紙の全面に印刷（所謂ふちなし印刷）が可能なものもあり、出力結果の外観についても銀塩フィルムを用いた写真との差異がなくなってきている。そして、デジタルカメラ等の機能向上や低価格化、利便性などが相まって、デジタル写真への移行が進行しつつある。
【０００４】
【特許文献１】特開平１０−２３３９２０号公報（図１０）
【発明の開示】
【発明が解決しようとする課題】
【０００５】
しかしながら、画像出力装置を使用してデジタル画像を出力した場合、デジタル画像データのファイル名や画像サイズ、撮影日時等の付帯情報が記録されないと、出力結果の管理が困難である。通常の銀塩写真による印画紙出力の場合、印画紙の裏面に、対応する銀塩フィルムのコマ番号（場合によっては焼き付け時の処理パラメータも）印刷されるため、このような情報から管理が可能である。
【０００６】
そのため、デジタル画像の印刷出力時に、画質調整パラメータを画像とともに印刷する方法が提案されている（例えば特許文献１）。この方法では、画像と別紙、画像上もしくは裏面といった場所に、パラメータを印刷するものである。
【０００７】
特許文献１に記載の方法においては、パラメータの印刷有無及び印刷時の場所については、ユーザ指定に基づいている、画像を避けてパラメータを印刷することについては特に考慮されていない。そのため、特許文献１の図１０に示されるように画像と同一用紙でかつ表面（画像と同じ面）にパラメータを印刷する際には、画像と重複して印刷してしまうという問題があった。
【０００８】
本発明はこのような従来技術の課題を解決することをその主な目的とする。
【課題を解決するための手段】
【０００９】
上述の目的は、記録媒体の全面に記録する全面記録と、余白を残して記録する通常記録とが可能で、かつ前記記録媒体の両面に対する記録が可能な印刷手段を有し、印刷要求に基づいて画像を記録媒体に印刷する画像出力装置において、印刷要求を検出する検出手段と、印刷すべき画像データを取得する画像取得手段と、画像データとともに印刷すべき情報を取得する情報取得手段と、印刷要求が全面記録を要求している場合、画像データを記録媒体の一方の面に、画像データと共に印刷すべき情報を記録媒体の他方の面に印刷し、印刷要求が通常記録を要求している場合、画像データを記録媒体の一方の面に、画像データと共に印刷すべき情報を記録媒体の一方の面の余白に印刷するように印刷手段を制御する制御手段を有することを特徴とする画像出力装置によって達成される。
【００１０】
また、上述の目的は、記録媒体の全面に記録する全面記録と、余白を残して記録する通常記録とが可能で、かつ記録媒体の両面に対する記録が可能な印刷手段を有し、印刷要求に基づいて画像を記録媒体に印刷する画像出力装置の制御方法であって、印刷要求を検出する検出ステップと、印刷すべき画像データを取得する画像取得ステップと、画像データとともに印刷すべき情報を取得する情報取得ステップと、印刷要求が全面記録を要求している場合、画像データを記録媒体の一方の面に、画像データと共に印刷すべき情報を記録媒体の他方の面に印刷し、印刷要求が通常記録を要求している場合、画像データを記録媒体の一方の面に、画像データと共に印刷すべき情報を記録媒体の一方の面の余白に印刷するように印刷ステップを制御する制御ステップを有することを特徴とする画像出力装置の制御方法によっても達成される。
【００１１】
さらに、上述の目的は、コンピュータに、本発明による画像出力装置の制御方法を実行させるプログラム又は当該プログラムを格納したコンピュータ読み取り可能な記録媒体によっても達成される。
【発明の効果】
【００１２】
上述の構成により、画像データをその付帯情報及び／又は付加情報等の印刷すべき情報とともに印刷する場合、通常印刷であれば通常印刷の領域外に、全面印刷であれば裏面に情報を印刷することができ、画像に情報が重なって出力されることを防止することができる。また、情報の印刷位置は全面印刷か通常印刷かに応じて自動的に決定されるため、印刷時には単に情報の印刷有無のみを指定すれば良く、位置を指定する必要がない。
【発明を実施するための最良の形態】
【００１３】
●（第１の実施形態）
以下、図面を参照して、本発明をその好適な実施形態に基づき詳しく説明する。なお、以下の実施形態に記載されている構成部品の寸法、材質、形状、その相対配置などは、それに限定する旨の明示がない限り、単なる一例であり、発明の範囲を限定するものではない。
【００１４】
図２は、本発明の実施形態に係る画像出力装置の基本構成を示すブロック図である。
図２において、１は装置各部の制御処理を行うＣＰＵ（中央処理装置）である。２は、ＣＰＵ１が実行する制御処理プログラムやその制御処理に必要となるパラメータを記憶するＲＯＭである。３は、各種固有なデータの記憶やＣＰＵ１が処理を行うためのワークエリアとして使用するＳＲＡＭ(Static RAM)である。４は、外部ＰＣ（パーソナルコンピュータ）８から受信した画像データ等を記憶し、ＳＲＡＭ３と同様にＣＰＵ１がワークエリアとしても使用可能なＤＲＡＭである。５は、外部ＰＣ８とのＩ／Ｆ（インタフェース）を取るためのＰＣＩ／Ｆ部である。６は、外部ＰＣ８から受信した画像データ等を印字するためのプリンタ部であり、本実施形態では、紙などの記録媒体に対して全面（ふちなし）記録及び両面記録が可能な構成を有している。７は、ユーザが本装置に指示を与えたり各種操作を行うためのキーやボタン、装置の動作状況等を報知するための表示装置やスピーカ等を含む操作部である。
【００１５】
また、ＣＰＵ１、ＲＯＭ２、ＳＲＡＭ３、ＤＲＡＭ４、ＰＣＩ／Ｆ部５、プリンタ部６、操作部７、は、システムバス９に接続されており、これらの各ユニット間でのデータのやり取りは、システムバス９を使用して行われる。
【００１６】
このような構成を有する画像出力装置において、デジタル画像データを印刷する際の動作を説明する。
デジタル画像データを印刷する場合、まず外部ＰＣ８からデジタル画像データの印刷要求が送られ、ＰＣＩ／Ｆ部５を経由して、ＣＰＵ１に送られる。ＣＰＵ１は、ＲＯＭ２に記憶された制御プログラムにより、各ブロックに対しての初期化を行い、デジタル画像の印刷に備える。
【００１７】
次に、外部ＰＣ８からデジタル画像データが送られてくると、ＰＣＩ／Ｆ部５を経由して、ＣＰＵ１がシステムバス９を制御しながら、ＤＲＡＭ４にデジタル画像データを記憶させる。合わせて、デジタル画像データとともに送られてくる（あるいは、デジタル画像データに含まれる）、デジタル画像データに関連した付帯情報、例えばファイル名や撮影日時等のデータを同じくＤＲＡＭ４に記憶させる。この時、付帯情報を管理するために、ＳＲＡＭ３に記憶させる場合もある。
【００１８】
また、これら受信したデジタル画像データに対し、印刷日時、印刷枚数、印刷ページ、用紙サイズ、付帯情報の印刷有無といった印刷に関連するパラメータと、ファイル名や画像サイズ、撮影日時等デジタル画像データに関する情報（付帯情報）を合わせて記憶させるために、外部ＰＣ８から送られてくる（又は操作部７において設定される）これらパラメータ、付帯情報の記憶もＤＲＡＭ４やＳＲＡＭ３に対して行われる。
【００１９】
なお、印刷すべきデジタル画像データ、印刷に関連するパラメータ及び付帯情報は、画像出力装置が認識可能ないかなるデータ形式、手順によって送信又は設定されてもよい。
【００２０】
デジタル画像データをプリンタ部６により印刷可能な状態（例えば、プリンタ部６における以前のプリントジョブが終了して、新たな画像データを印刷できる状態）になったところで、ＣＰＵ１は、ＤＲＡＭ４に記憶されたデジタル画像データをプリンタ部６に送り、デジタル画像の印刷を開始する。この時、ＤＲＡＭ４やＳＲＡＭ３に記憶された付帯情報を印刷するか否かを設定を外部ＰＣ８、もしくは操作部７で行うことで、デジタル画像データの印刷時に付帯情報も印刷されることになる。
【００２１】
以上は外部ＰＣ８から送られてくるデジタル画像データを印刷する場合について記載したが、ＤＲＡＭ４に記憶されているデジタル画像データを印刷する場合には、操作部７を用いて印刷指示を与えることも可能である。すなわち、ＣＰＵ１は例えば操作部７に含まれる表示部に、周知の階層的な設定メニューを表示し、例えばＤＲＡＭ４に記憶されている画像ファイルの印刷メニューが選択されたならば、記憶されている画像ファイルの一覧を提示し、選択された画像データの印刷を実行する。すなわち、操作部７からの印刷要求をＣＰＵ１が受け取り、ＤＲＡＭ４に記憶されたデジタル画像データをプリンタ部６に送り、印刷を開始する。印刷時にデジタル画像データに関連した付帯情報の印刷を行うか否かについても、操作部７の設定に従って決定することが可能である。
【００２２】
図１は、上述したデジタル画像データの印刷処理動作を示すフローチャートである。以下、このフローチャートを使用して本実施形態の画像出力装置の動作を説明する。
ステップＳ１−１で、まず印刷するための印刷開始コマンドを受ける。印刷開始コマンドは上述したように外部ＰＣ８からＣＰＵ１が受信するか、操作部７を介した印刷開始指示をＣＰＵ１が受け取る。そして、ＣＰＵ１が印刷開始コマンドを解析し、各ブロックに対しての初期化を行い、デジタル画像データの印刷に備える。
【００２３】
次に、ステップＳ１−２で、印刷するデジタル画像データの付帯情報の印刷が設定又は指示をされているか否かを判断する。この判断は、印刷開始コマンドの受信と同様、外部ＰＣ８からのコマンドもしくは操作部７でなされた設定（例えばＳＲＡＭ３に記憶されている）を、ＣＰＵ１が受け取り、ＣＰＵ１がそれらを解析することで行う。ここで付帯情報の印刷が指示又は設定されていないと判断（ステップＳ１−２をＮＯと判断）した場合、ステップＳ１−３に進む。
【００２４】
ステップＳ１−３において、デジタル画像データを用紙全面に印刷するか否かの判断を行う。この判断もまた、外部ＰＣ８からのコマンドもしくは操作部７でなされた設定（例えばＳＲＡＭ３に記憶されている）を、ＣＰＵ１が受け取り、ＣＰＵ１がそれらを解析することで判断する。
【００２５】
ここで全面印刷が指示又は設定されていると判断（ステップＳ１−３をＹＥＳと判断）した場合、ＣＰＵ１がプリンタ部６に対して、印刷すべきデジタル画像データを送ると共に、全面印刷（ふちなし印刷）を指示する。この情報を受け取ったプリンタ部６は、受け取ったデジタル画像データを用紙全面に印刷する（ステップＳ１−４）。
【００２６】
一方、全面印刷が指示又は設定されていないと判断（ステップＳ１−３をＮＯと判断）した場合、ＣＰＵ１がプリンタ部６に対して、印刷すべきデジタル画像データを送ると共に、通常印刷（ふちあり印刷）を指示する。この情報を受け取ったプリンタ部６は、受け取ったデジタル画像データを通常印刷する（ステップＳ１−５）。
【００２７】
ステップＳ１−２において、付帯情報の印刷が指示又は設定されていると判断（ステップＳ１−２をＹＥＳと判断）した場合、ステップＳ１−６に進む。
ステップＳ１−６において、ステップＳ１−３と同様に、デジタル画像データを用紙全面に印刷するか否かの判断を行う。
【００２８】
ここで全面印刷が指示又は設定されていると判断（ステップＳ１−６をＹＥＳと判断）した場合、ＣＰＵ１がプリンタ部６に対して、印刷すべきデジタル画像データと、この画像データの付帯情報を送ると共に、全面印刷（ふちなし印刷）を指示する。この情報を受け取ったプリンタ部６は、受け取ったデジタル画像データを用紙全面に印刷するとともに、用紙の裏面には当該画像データの付帯情報を印刷する（ステップＳ１−７）。用紙裏面への印刷は、例えばプリンタ部６が有する自動両面印刷機能を用い、画像データ印刷後に用紙を裏返して裏面印刷することにより実現することができる。
【００２９】
一方、全面印刷が指示又は設定されていないと判断（ステップＳ１−６をＮＯと判断）した場合、ＣＰＵ１がプリンタ部６に対して、印刷すべきデジタル画像データと、この画像データや付帯情報を送ると共に、通常印刷（ふちあり印刷）を指示する。この情報を受け取ったプリンタ部６は、受け取ったデジタル画像データを用紙周囲の余白部分（縁部又は枠外）を除く画像印刷領域に印刷するとともに、当該画像データの付帯情報を、画像印刷領域以外（縁部又は枠外）に印刷する（ステップＳ１−８）。この際、付帯情報の印刷は、通常印刷の領域外に行われるため、実質的にはプリンタ部６の全面印刷機能を用いて行うことになる。
【００３０】
図３では、ステップＳ１−７、及び、ステップＳ１−８で行われた印刷の結果を示す。図３（ｂ）がステップＳ１−７で行う印刷処理結果に相当するもので、印刷する用紙全面にデジタル画像データを印刷した場合には、用紙の裏面に付帯情報を印刷する。図３（ａ）がステップＳ１−８での印刷処理結果に相当するもので、通常印刷でデジタル画像データが印刷されてないエリア（枠外）に付帯情報の印刷を行う。
【００３１】
このように、本実施形態によれば、全面印刷可能な画像出力装置において、画像データをその付帯情報とともに印刷する場合、通常印刷であれば通常印刷の領域外に、全面印刷であれば裏面に付帯情報を印刷することができ、画像に付帯情報が重なって出力されることを防止することができる。また、付帯情報の印刷位置は全面印刷か通常印刷かに応じて自動的に決定されるため、印刷時には単に付帯情報の印刷有無のみを指定すれば良く、位置を指定する必要がない。
【００３２】
●（第２の実施形態）
これまで一般的な画像出力装置に関して説明してきたが、デジタル複合機等の、画像読取装置を有する画像出力装置に対しても、本発明を同様に適用することができる。
すなわち、コピー動作において、用紙全面に印刷するか否かの設定を行うことで、原稿の日付等の付帯情報を印刷面の印刷領域外に印刷するか、もしくは裏面に印刷するかを切り替え可能とした画像出力装置である。
【００３３】
図４は、本実施形態に係る画像出力装置の一例としてのデジタル複合機の基本構成を示すブロック図である。
図４において、第１の実施形態に係る画像出力装置を示す図２との違いは、画像処理部１０、画像読み取り部１１、ＭＯＤＥＭ１２及びＮＣＵ１３が新たに設けられている点である。画像処理部１０は、画像読み取り部１１と接続し、画像読み取り部１１が読み取った原稿画像に含まれるシェーディング歪みを補正するシェーディング補正処理をはじめとする各種画像処理を行う機能を有する。画像読み取り部１１は、例えば原稿自動給送装置を有するフラットベッドスキャナであり、内蔵する光源で照射した原稿、及び、白基準部材からの反射光を電気信号に変換して、画像処理部１０へ出力する。ＭＯＤＥＭ１２は所謂ファクシミリモデムであり、ＮＣＵ１３及び電話回線を介して接続される相手先ファクシミリ装置と、ファクシミリデータの送受信を行う機能を有する。ＮＣＵ（ネットワークコントロールユニット）１３は、本実施形態の画像出力装置を公衆電話回線に接続する機能を有する。
【００３４】
また、画像処理部１０、ＭＯＤＥＭ１２、ＮＣＵ１３は、システムバス９に接続されており、これらの各ユニット間でのデータのやり取りは、システムバス９を使用して行われる。但し、ＭＯＤＥＭ１２とＮＣＵ１３間のデータのやり取りに関しては、直接行われる。
【００３５】
このような構成を有する画像出力装置におけるコピー動作について説明する。
コピー動作の場合、まず操作部７からのコピー動作の要求がＣＰＵ１に送られる。ＣＰＵ１は、ＲＯＭ２に記憶された制御プログラムにより、各ブロックに対しての初期化を行う。
【００３６】
次に、ＣＰＵ１は、画像処理部１０と画像読み取り部１１を制御しながら、画像読み取り部１１の原稿台又は原稿自動給送装置に置かれた原稿の画像読み取り処理を行う。また、同時に、システムバス９を制御しながら、画像読み取り部１１が読み取り、画像処理部１０で所定の画像処理を行ったデジタル画像データをＤＲＡＭ４に記憶させる。なお、この処理において、読み取った原稿画像に含まれる付帯情報、例えば原稿が日付（又は撮影日時やメッセージなど）入りの写真であれば、この日付データをＯＣＲ等の公知の文字認識方法により検出し、同じくＤＲＡＭ４に記憶させる。この時、付帯情報を管理するために、ＳＲＡＭ３に記憶させる場合もある。
【００３７】
デジタル画像データがプリンタ部６により印刷可能な状態になったところで、ＣＰＵ１は、ＤＲＡＭ４に記憶されたデジタル画像データをプリンタ部６に送り、デジタル画像データの印刷を開始する。この時、ＤＲＡＭ４やＳＲＡＭ３に記憶された付帯情報を印刷するか否かを、操作部７から変更可能な設定値に従って決定することで、デジタル画像データの印刷時にその付帯情報の印刷が可能になる。
【００３８】
図６のフローチャートを用いて、このコピー動作についてさらに説明する。図６のフローチャートは、図１のフローチャートと、ステップＳ２−３とステップＳ２−７における原稿の画像データ読み取り処理と、ステップＳ２−７における原稿画像内の付帯情報検出処理において異なる。
【００３９】
図６のフローチャートは、操作部７のコピースタートキー押下等により、コピー開始の指示が与えられたことをＣＰＵ１が検出した時点で開始する。
まずステップＳ２−１で、ＣＰＵ１は各ブロックに対しての初期化を行うとともに、例えばＳＲＡＭ３に記憶された設定内容を参照し、付帯情報の印刷デジタル画像データの印刷に備える。
【００４０】
次に、ステップＳ２−２で、参照した設定内容がデジタル画像データの付帯情報を印刷するという設定であるかか否かを判断する。ここで付帯情報の印刷を行う設定がされていなければ（ステップＳ２−２をＮＯと判断）、ステップＳ２−３に進む。
ステップＳ２−３において、ＣＰＵ１が画像処理部１０と画像読み取り部１１を制御しながら原稿の画像読み取り動作を行い、その結果得られたデジタル画像データをＤＲＡＭ４に記憶させる。
【００４１】
ステップＳ２−４において、ステップＳ２−１で参照した設定内容が、用紙全面への印刷（ふち無し印刷）であるか否かの判断を行う。
ここで全面印刷が指示又は設定されていると判断（ステップＳ２−４をＹＥＳと判断）した場合、ＣＰＵ１がプリンタ部６に対して、印刷すべきデジタル画像データを送ると共に、全面印刷（ふちなし印刷）を指示する。この情報を受け取ったプリンタ部６は、受け取ったデジタル画像データを用紙全面に印刷する（ステップＳ２−５）
【００４２】
一方、全面印刷が設定されていないと判断（ステップＳ２−４をＮＯと判断）した場合、ＣＰＵ１がプリンタ部６に対して、印刷すべきデジタル画像データを送ると共に、通常印刷（ふちあり印刷）を指示する。この情報を受け取ったプリンタ部６は、受け取ったデジタル画像データを通常印刷する（ステップＳ２−６）。
【００４３】
ステップＳ２−２において、付帯情報の印刷が設定されていると判断（ステップＳ２−２をＹＥＳと判断）した場合、ステップＳ２−７に進む。
ステップＳ２−７において、ＣＰＵ１が画像処理部１０と画像読み取り部１１を制御しながら原稿の画像読み取り動作を行い、その結果得られたデジタル画像データをＤＲＡＭ４に記憶させると同時に、原稿内の付帯情報の検出処理を行う。例えば図５に示すように原稿内に日付がある場合に、この部分をＯＣＲ等の公知の検出方法により付帯情報として抽出し、抽出結果をＤＲＡＭ４やＳＲＡＭ３に記憶させる。
【００４４】
ステップＳ２−１１においては、ステップＳ２−７で付帯情報が検出されたか否かを判断する。付帯情報が検出されなければ、ステップＳ２−４へ移行し、以下は付帯情報の印刷設定がない場合と同様に処理する。
付帯情報が検出されていれば、次にステップＳ２−８において、全面印刷が設定されているか否かの判断を行う。
【００４５】
ここで全面印刷が指示又は設定されていると判断（ステップＳ２−８をＹＥＳと判断）した場合、ＣＰＵ１がプリンタ部６に対して、印刷すべきデジタル画像データと、ステップＳ２−７で検出した画像データの付帯情報を送ると共に、全面印刷（ふちなし印刷）を指示する。この情報を受け取ったプリンタ部６は、受け取ったデジタル画像データを用紙全面に印刷するとともに、用紙の裏面には当該画像データの付帯情報を印刷する（ステップＳ２−９）。用紙裏面への印刷は、例えばプリンタ部６が有する自動両面印刷機能を用い、画像データ印刷後に用紙を裏返して裏面印刷することにより実現することができる。
【００４６】
一方、全面印刷が設定されていないと判断（ステップＳ２−８をＮＯと判断）した場合、ＣＰＵ１がプリンタ部６に対して、印刷すべきデジタル画像データと、ステップＳ２−７で検出したこの画像データの付帯情報を送ると共に、通常印刷（ふちあり印刷）を指示する。この情報を受け取ったプリンタ部６は、受け取ったデジタル画像データを用紙周囲の余白部分（縁部又は枠外）を除く画像印刷領域に印刷するとともに、当該画像データの付帯情報を、画像印刷領域以外（縁部又は枠外）に印刷する（ステップＳ２−１０）。この際、付帯情報の印刷は、通常印刷の領域外に行われるため、実質的にはプリンタ部６の全面印刷機能を用いて行うことになる。
【００４７】
図３では、図５の原稿について上述のコピー動作を行った場合に、ステップＳ２−１０及び、ステップＳ２−９で行われた印刷の結果を示す。図３（ｂ）がステップＳ２−９で行う印刷処理結果に相当するもので、印刷する用紙全面にデジタル画像データを印刷した場合には、用紙の裏面に付帯情報を印刷する。図３（ａ）がステップＳ２−１０での印刷処理結果に相当するもので、通常印刷でデジタル画像データが印刷されてないエリア（枠外）に付帯情報の印刷を行う。
【００４８】
このように、本実施形態によれば、原稿読み取り装置を有する画像出力装置においても、第１の実施形態と同様に、画像データをその付帯情報とともに印刷する場合、通常印刷であれば通常印刷の領域外に、全面印刷であれば裏面に付帯情報を印刷することができ、画像に付帯情報が重なって出力されることを防止することができる。また、付帯情報の印刷位置は全面印刷か通常印刷かに応じて自動的に決定されるため、印刷時には単に付帯情報の印刷有無のみを指定すれば良く、位置を指定する必要がない。
【００４９】
●（他の実施形態）
なお、上述の実施形態においては、デジタル画像データに関する付帯情報のみを画像以外の印刷データとした場合を説明したが、印刷枚数やページといったパラメータや、印刷日時等の付加情報も合わせて印刷することが可能である。
【００５０】
付加情報は第１の実施形態であればＰＣ８から受信することにより、又は操作部７から付加情報として設定された内容を参照することにより取得することができる。また、第２の実施形態においては、操作部７から原稿読み取り前又は読み取り後に設定された内容を参照することにより取得することができる。いずれの場合も付加情報はＤＲＡＭ４やＳＲＡＭ３に対して記憶させ、付帯情報と合わせて印刷することが可能である。
なお、この場合、第２の実施形態におけるステップＳ２−１１においては付帯情報又は付加情報があるか否かを判断することになる。
【００５１】
また、第２の実施形態においては、原稿として図５のような反射原稿をコピーする場合についてのみ説明したが、透過原稿読取可能な画像読み取り部１１を用いることにより、フィルム等の透過原稿内についても同様の処理を行うことが可能である。すなわち、ステップＳ２−７において、フィルム等の透過原稿内にある付帯情報（日付情報やコマ番号等）を検出し、読み取ったデジタル画像データに関連付けて印刷することで、フィルム等の透過原稿でのコピー動作においても付帯情報の印刷が可能となる。
【００５２】
もちろん、フィルム等の透過原稿でのコピー動作においても、反射原稿のコピー動作と同様にして、印刷枚数やページ、印刷日時等の付加情報を付帯情報と合わせて印刷することも可能である。
【００５３】
なお、上述の実施形態において、付帯情報は印刷せず、付加情報のみをデジタル画像データと共に印刷するように構成することももちろん可能である。
【００５４】
尚、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００５５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５６】
その場合、プログラムの機能を有していれば、オブジェクトコード、インタプリタにより実行されるプログラム、ＯＳに供給するスクリプトデータ等、プログラムの形態を問わない。
【００５７】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００５８】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００５９】
つまり、本発明の機能処理をコンピュータで実現するためのプログラムデータファイルを複数のユーザに対してダウンロードさせるサーバ装置も本発明に含む。
【００６０】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００６１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００６３】
【図１】本発明の第１の実施形態に係る画像出力装置の動作を示すフローチャートである。
【図２】本発明の第１の実施形態に係る画像出力装置の構成例を示すブロック図である。
【図３】本発明の第１の実施形態に係る画像出力装置による印刷結果の例を示す図である。
【図４】本発明の第２の実施形態に係る画像出力装置の構成例を示すブロック図である。
【図５】本発明の第２の実施形態に係る画像出力装置で用いうる反射原稿の例を示す図である。
【図６】本発明の第２の実施形態に係る画像出力装置の動作を示すフローチャートである。
【符号の説明】
【００６４】
１  ＣＰＵ
２  ＲＯＭ
３  ＳＲＡＭ
４  ＤＲＡＭ
５  ＰＣＩ／Ｆ部
６  プリンタ部
７  操作部
８  外部ＰＣ
９  システムバス
１０画像処理部
１１画像読み取り部
１２ＭＯＤＥＭ
１３ＮＣＵ
【図１】
2005199616.tif 000003
【図２】
2005199616.tif 000004
【図３】
2005199616.tif 000005
【図４】
2005199616.tif 000006
【図５】
2005199616.tif 000007
【図６】
2005199616.tif 000008